(57)【特許請求の範囲】
【請求項１】
順序性を有する複数枚のシートに含まれるシートをシート保持部から給紙して排出するジョブを実行するジョブ実行手段と、
前記順序性を有する複数枚のシートのうち排出が完了していないシートを前記ジョブを中断した状態で排出部に排出することができるか否かを判定する判定手段と、
前記順序性を有する複数枚のシートのうち排出が完了していないシートを前記ジョブを中断した状態で前記排出部に排出することができると前記判定手段によって判定された場合に、前記排出が完了していないシートを前記ジョブを中断した状態で前記シート保持部から給紙して前記排出部に排出し、
前記順序性を有する複数枚のシートのうち前記排出が完了していないシートを前記ジョブを中断した状態で前記排出部に排出することができないと前記判定手段によって判定された場合に、前記排出が完了していないシートを中断要因が解消した後に前記シート保持部から給紙して前記排出部に排出するよう制御する制御手段と、
を有することを特徴とする印刷システム。
【請求項２】
前記順序性を有する複数枚のシートのうち前記排出が完了していないシートを前記ジョブが中断した状態で前記排出部に排出するか否かを前記ジョブを実行する前に設定する設定手段をさらに有し、
前記制御手段は、前記設定手段によって前記順序性を有する複数枚のシートのうち前記排出が完了していないシートを前記ジョブが中断した状態で前記排出部に排出するよう設定されており、前記順序性を有する複数枚のシートのうち排出が完了していないシートを前記ジョブを中断した状態で前記排出部に排出することができると前記判定手段によって判定された場合に、前記順序性を有する複数枚のシートのうち前記排出が完了していないシートを前記ジョブを中断した状態で前記シート保持部から給紙して前記排出部に排出し、
前記設定手段によって前記順序性を有する複数枚のシートのうち前記排出が完了していないシートを前記ジョブを中断した状態で前記排出部に排出しないよう設定されている場合に、前記順序性を有する複数枚のシートのうち前記排出が完了していないシートを前記ジョブを中断した状態で前記シート保持部から給紙して前記排出部に排出しないよう制御することを特徴とする請求項１記載の印刷システム。
【請求項３】
前記ジョブ実行手段は、前記排出が完了していないシートが前記排出部に排出された後、ユーザの指示に従って前記中断されたジョブの印刷処理を再開することを特徴とする請求項１または請求項２に記載の印刷システム。
【請求項４】
前記ジョブ実行手段によって実行されるジョブが中断された場合に、シート保持部に保持された前記順序性を有する複数枚のシートをユーザに確認させるためのメッセージを表示部に表示させる表示制御手段をさらに有することを特徴とする請求項１乃至請求項３の何れか１項に記載の印刷システム。
【請求項５】
排出が完了したシートの情報を記憶する記憶手段と、
前記ジョブ実行手段は、前記記憶手段に記憶されたシートの情報に従って前記排出が完了していないシートを特定し、前記中断されたジョブの実行を、前記排出が完了していないシートから再開することを特徴とする請求項１乃至請求項４の何れか１項に記載の印刷システム。
【請求項６】
前記ジョブ実行手段によって実行されるジョブは、順序性を有する複数枚のシートに含まれるシートと、当該順序性を有する複数枚のシート以外のシートを使用するジョブであることを特徴とする請求項１乃至請求項５の何れか１項に記載の印刷システム。
【請求項７】
前記順序性を有する複数枚のシートは、タブ紙であることを特徴とする請求項１乃至請求項６の何れか１項に記載の印刷システム。
【請求項８】
前記制御手段は、前記ジョブ実行手段によって実行されるジョブがシートのジャムによって中断した場合に、当該ジョブで使用される前記順序性を有する複数枚のシートのうち、少なくとも排出が完了していないシートを前記排出部に排出するよう制御することを特徴とする請求項１乃至請求項７のいずれか１項に記載の印刷システム。
【請求項９】
順序性を有する複数枚のシートに含まれるシートをシート保持部から給紙して排出するジョブを実行するジョブ実行工程と、
前記順序性を有する複数枚のシートのうち排出が完了していないシートを前記ジョブを中断した状態で排出部に排出することができるか否かを判定する判定工程と、
前記順序性を有する複数枚のシートのうち排出が完了していないシートを前記ジョブを中断した状態で前記排出部に排出することができると前記判定工程によって判定された場合に、前記排出が完了していないシートを前記ジョブを中断した状態で前記シート保持部から給紙して前記排出部に排出し、中断要因の発生によって前記ジョブが中断された場合に、前記順序性を有する複数枚のシートのうち前記排出が完了していないシートを前記ジョブを中断した状態で前記排出部に排出することができないと前記判定手段によって判定された場合に、前記中断要因が解消した後に前記排出が完了していないシートを前記中断要因が解消した後に前記シート保持部から給紙して前記排出部に排出するよう制御する制御工程と、
を有することを特徴とする印刷システムの制御方法。
【請求項１０】
請求項９に記載された制御方法を、コンピュータに実行させるためのプログラム。
【発明の詳細な説明】
【技術分野】
【０００１】
本発明は、印刷システム及びその制御方法、並びにプログラムに関するものである。
【背景技術】
【０００２】
近年の印刷システムは、例えば、用紙ジャム等の印刷中断要因が発生することによって印刷が中断すると、その用紙ジャムを取り除くといった中断要因の解除が行われ次第、自動的に印刷が再開できるように構成されている（特許文献１参照）。
【特許文献１】米国特許第７１２６７１９号公報
【発明の開示】
【発明が解決しようとする課題】
【０００３】
このようなシステムでは、印刷中断時に（印刷が中断する直前のタイミングで）タブ付きインデックス紙（以下、タブ紙と記す）などの順序性をもったシートを利用していたら、その後のシステムで誤った動作が行われてしまう問題がある。
【０００４】
例えば、中断要因が解除された後、中断した印刷ジョブを再開する、或いは、別の印刷ジョブを開始させてみたら、順番がずれているタブ紙が給紙部から給送されてしまうという問題がある。このように、印刷が中断した後にユーザが意図しない動作が行われてしまう問題がある。また、順番がずれているタブ紙が給紙部に残存しているのにオペレータが気づかずにオペレータが誤った操作を行ってしまうという問題もある。
【０００５】
このような状況に鑑み、本発明の目的は、中断したジョブが順序性を有する複数枚のシートを利用するジョブであっても、その後、ユーザの意図しないシートがシート保持部から供給されないようにする仕組みを提供することである。
【課題を解決するための手段】
【０００８】
上記目的を達成するため、本発明の印刷システムは、順序性を有する複数枚のシートに含まれるシートをシート保持部から給紙して排出するジョブを実行するジョブ実行手段と、前記順序性を有する複数枚のシートのうち排出が完了していないシートを前記ジョブを中断した状態で排出部に排出することができるか否かを判定する判定手段と、前記順序性を有する複数枚のシートのうち排出が完了していないシートを前記ジョブを中断した状態で前記排出部に排出することができると前記判定手段によって判定された場合に、前記排出が完了していないシートを前記ジョブを中断した状態で前記シート保持部から給紙して前記排出部に排出し、前記順序性を有する複数枚のシートのうち前記排出が完了していないシートを前記ジョブを中断した状態で前記排出部に排出することができないと前記判定手段によって判定された場合に、前記排出が完了していないシートを前記中断要因が解消した後に前記シート保持部から給紙して前記排出部に排出するよう制御する制御手段と、を有することを特徴とする。
【発明の効果】
【００１７】
本発明によれば、中断したジョブが順序性を有する複数枚のシートを利用するジョブであっても、その後、ユーザの意図しないシートがシート保持部から供給されないようにすることができる。
【発明を実施するための最良の形態】
【００２２】
以下、本発明の実施の形態について、図面を参照しながら説明する。
【００２３】
＜ＰＯＤシステムの構成＞
図１は、本発明の実施の形態に係る印刷システムを含むＰＯＤシステムの構成を示す模式図である。
【００２４】
このＰＯＤシステムは、印刷システム１０００、スキャナ１０２、サーバコンピュータ（ＰＣ）１０３、及びクライアントコンピュータ（ＰＣ）１０４を有し、それらはネットワーク１０１を介して接続されている。また、このＰＯＤシステムは更に、紙折り機１０７、くるみ製本機１０８、断裁機１０９、及び中綴じ製本機１１０等を有している。
【００２５】
サーバＰＣ１０３は、ネットワーク１０１に接続された各種装置とのデータの送受信を管理する。クライアントＰＣ１０４は、ネットワーク１０１を介して画像データを印刷システム１０００の印刷装置１００やサーバＰＣ１０３に送信する。紙折り機１０７は、印刷装置１００で印刷されたシートの折り処理を行う。くるみ製本機１０８は、印刷装置１００で印刷されたシートに対するくるみ製本処理を行う。断裁機１０９は、複数枚のシートからなるシート束毎に、印刷装置１００で印刷されたシートの断裁処理を行う。中綴じ製本機１１０は、印刷装置１００で印刷されたシートに対する中綴じ製本処理を行う。
【００２６】
本実施の形態では、印刷装置１００が製本処理装置として機能しているが、本発明はこれに限定されるものでなく、サーバＰＣ１０３やクライアントＰＣ１０４が、或いは後処理装置の何れかがこの機能を実行しても良い。
【００２７】
紙折り機１０７、くるみ製本機１０８、断裁機１０９、及び中綴じ製本機１１０を利用する場合、ユーザは印刷装置１００で印刷されたシートを印刷システム１０００から取り出して利用する装置にセットし、その装置によって処理を実行させる。また、ＰＯＤシステムが有する複数の装置のうち、中綴じ製本機１１０以外の装置は、ネットワーク１０１に接続されており、互いに他の装置とデータ通信が可能となっている。
【００２８】
なお、紙折り機１０７、くるみ製本機１０８、断裁機１０９、及び中綴じ製本機１１０は、印刷装置１００以外の他の印刷装置で印刷されたシートが供給された場合にも同様に、それらシートに対して後処理を実行する。
【００２９】
＜印刷システムの構成＞
（Ａ）ブロック構成
図２は、本実施の形態に係る印刷システム１０００の構成を説明するブロック図である。
【００３０】
この印刷システム１０００は、印刷装置１００とシート処理装置２００とを有する。なお、本実施の形態では、印刷装置１００として、コピー機能及びプリンタ機能等の複数の機能を有する多機能処理装置（ＭＦＰ：Ｍｕｌｔｉ  Ｆｕｎｃｔｉｏｎ  Ｐｅｒｉｐｈｅｒａｌ）を例に説明する。しかしながらこの印刷装置１００は、コピー機能のみ、或いは、プリンタ機能のみを有する単一機能型の印刷装置（プリンタ）であっても良い。なお、ここで印刷システム１０００に含まれる各ユニットのうち、シート処理装置２００以外のユニットは印刷装置１００に含まれる。また印刷装置１００には、任意の台数のシート処理装置２００を接続することができる。
【００３１】
印刷システム１０００は、印刷装置１００で印刷されたシートに対するシート処理を、印刷装置１００に接続されたシート処理装置２００により実行できるように構成されている。但し、シート処理装置２００を接続せずに印刷装置１００のみで印刷システム１０００を構成することも可能である。
【００３２】
シート処理装置２００は、印刷装置１００と通信可能に構成され、印刷装置１００からの指示を受け、後述するようなシート処理を実行することができる。スキャナ部２０１は、原稿上の画像を読み取り、これを画像データに変換し、他のユニットに転送する。外部Ｉ／Ｆ２０２は、ネットワーク１０１に接続された他の装置との間でデータの送受信を行う。プリンタ２０３は、入力された画像データに基づく画像をシート上に印刷する。操作部２０４は、後述するハードキー入力部（キー入力部）４０２（図４）や、タッチパネル部４０１（図４）を有し、それらを介してユーザからの指示を受け付ける。また操作部２０４は、操作部２０４が有するタッチパネルに各種表示を行う。
【００３３】
制御部２０５は、ＣＰＵ２０５ａを有し、印刷システム１０００が有する各種ユニットの処理や動作等を統括的に制御する。即ち、印刷装置１００及び印刷装置１００に接続されたシート処理装置２００の動作も制御する。ＲＯＭ２０７は、ＣＰＵ２０５ａによって実行される各種コンピュータプログラムを記憶する。例えばＲＯＭ２０７は、後述するフローチャートの各種処理を制御部２０５に実行させるためのプログラムや、後述する各種設定画面を表示するために必要な表示制御プログラムを記憶する。またＲＯＭ２０７は、サーバＰＣ１０３やクライアントＰＣ１０４等から受信したＰＤＬ（ページ記述言語）コードデータを制御部２０５が解釈し、ラスタイメージデータに展開する動作を実行するためのプログラムを記憶する。他にもＲＯＭ２０７は、ブートシーケンスやフォント情報等を記憶する。ＲＡＭ２０８はスキャナ部２０１や外部Ｉ／Ｆ２０２から送られてきた画像データや、ＲＯＭ２０７からロードされた各種プログラムや設定情報を記憶する。またＲＡＭ２０８は、シート処理装置２００に関する情報（印刷装置１００に接続されたシート処理装置２００の台数と、各シート処理装置２００の機能に関する情報、また各シート処理装置２００の接続順序等）を記憶する。なお、このＲＡＭ２０８へのデータの書き込みや、ＲＡＭ２０８からのデータの読み出しはＣＰＵ２０５ａの制御の下に実行される。
【００３４】
ＨＤＤ（ハードディスクドライブ）２０９は、ハードディスクとハードディスクへのデータの読み書きを行う駆動部等で構成される。ＨＤＤ２０９は、スキャナ部２０１や外部Ｉ／Ｆ２０２から入力され、圧縮伸張部２１０によって圧縮された画像データを記憶する大容量の記憶装置である。またこのＨＤＤ２０９は、後述する各項目のメモリ設定値（推奨設定値）も記憶している。制御部２０５は、ユーザからの指示に基づいて、ＨＤＤ２０９に格納された画像データをプリンタ２０３に出力して印刷することができる。また制御部２０５は、ユーザからの指示に基づいて、ＨＤＤ２０９に格納された画像データを、外部Ｉ／Ｆ２０２を介してサーバＰＣ１０３等の外部装置へ送信することもできる。圧縮伸張部２１０は、ＪＢＩＧやＪＰＥＧ等といった各種圧縮方式によってＲＡＭ２０８，ＨＤＤ２０９に記憶されている画像データ等の圧縮・伸張動作を行う。
【００３５】
（Ｂ）断面構成
（ｉ）印刷装置の断面構成
図３は、本実施の形態に係る印刷装置１００と、この印刷装置１００に接続されたシート処理装置２００の断面図である。
【００３６】
自動原稿搬送装置（ＡＤＦ）３０１は、原稿トレイの積載面にセットされた原稿束を１頁目の原稿から、ページ順に、順番に分離して、スキャナ部２０１よって原稿を走査して読み取るために原稿台ガラス上へ搬送する。スキャナ部２０１は、その原稿台ガラス上に搬送された原稿の画像を読み取り、ＣＣＤによって画像データに変換する。回転多面鏡（ポリゴンミラー等）３０３は、画像データに応じて変調されたレーザ光を入射し、反射ミラーを介して反射走査光として感光ドラム３０４を照射する。こうして感光ドラム３０４上に形成された潜像はトナーによって現像され、転写ドラム３０５に貼り付けられたシートにトナー像を転写する。この一連の画像形成プロセスをイエロー（Ｙ）、マゼンタ（Ｍ）、シアン（Ｃ）、ブラック（Ｋ）のトナーに対して順次実行することによりフルカラー画像がシートに転写される。
【００３７】
このようにしてフルカラーの画像が転写された転写ドラム３０５上のシートは、分離爪３０６によって転写ドラム３０５から分離され、定着前搬送器３０７によって定着器３０８へ搬送される。定着器３０８は、ローラやベルトの組み合せによって構成され、ハロゲンヒータなどの熱源を内蔵し、トナー像が転写されたシート上のトナーを熱と圧力によって溶解、定着させる。排紙フラッパ３０９は、揺動軸を中心に揺動可能に構成され、シートの搬送方向を規定する。排紙フラッパ３０９が図中時計回りの方向に回動しているときには、シートは真直ぐに搬送され、排紙ローラ３１０によって機外へ排出される。制御部２０５は、以上のような一連のシーケンスによって、片面印刷を実行するように印刷装置１００を制御する。
【００３８】
一方、シートの両面に画像を形成する場合には、排紙フラッパ３０９が図中反時計回りの方向に回動し、シートは下方向に進路を変更され両面搬送部へと送り込まれる。両面搬送部は、反転フラッパ３１１、反転ローラ３１２、反転ガイド３１３及び両面トレイ３１４を備える。反転フラッパ３１１は、回動軸を中心に回動してシートの搬送方向を規定する。
【００３９】
制御部２０５は、両面印刷ジョブを処理する場合、プリンタ２０３でシートの第１面にプリントし、そのシートを反転ローラ３１２を介して、反転ガイド３１３へと送り込むよう制御する。そしてシートの後端が反転ローラ３１２に狭持された状態で反転ローラ３１２の回転を一旦停止させ、引き続き反転フラッパ３１１を図中時計回りの方向に回動させて、反転ローラ３１２を逆方向に回転させる。これにより、シートをスイッチバックして搬送させ、シートの後端と先端が入れ替わった状態で、このシートを両面トレイ３１４へ導くよう制御する。両面トレイ３１４ではシートを一旦積載し、その後、再給紙ローラ３１５によってシートは再びレジストローラ３１６へと送り込まれる。このときシートは、１面目の転写工程とは反対の面が感光ドラム３０４と対向する側になって搬送されている。そして、前述したプロセスと同様にして、そのシートの第２面に対して２面目の画像を転写する。そして、シートの両面に画像が形成され、定着工程を経て排紙ローラ３１０を介して印刷装置１００本体内部から機外へとシートを排出させる。制御部２０５は、以上のような一連のシーケンスによって、両面印刷を実行するように印刷装置１００を制御する。
【００４０】
また、印刷装置１００は、印刷処理に要するシートを収納する給紙部を有する。給紙部には、給紙カセット３１７，３１８（例えば、それぞれ５００枚のシートを収容可能）、給紙デッキ３１９（例えば、５０００枚のシートを収納可能）、手差しトレイ３２０等がある。給紙カセット３１７，３１８、及び給紙デッキ３１９は、本実施の形態で使用するタブ紙を含む、サイズや材質の異なる各種シートを給紙部毎に区別してセットできる。
【００４１】
また手差しトレイ３２０には、ＯＨＰシート等の特殊なシートを含む各種シートをセットすることができる。給紙カセット３１７，３１８、給紙デッキ３１９、手差しトレイ３２０には、それぞれに給紙ローラが設けられており、この給紙ローラの回転によって、シートは１枚単位で連続的に給送される。
【００４２】
（ｉｉ）シート処理装置の断面構成
次に、図３に示すシート処理装置２００について説明する。
【００４３】
本実施の形態に係る印刷システム１０００におけるシート処理装置２００は、上流の装置から下流の装置にシート搬送路を介してシートを搬送できるのであれば、任意の種類の装置を任意の台数だけ連結することができる。例えば図３に示すように、印刷装置１００に近い順に、大容量スタッカ２００−３ａ、糊付け製本機２００−３ｂ、中綴じ製本機２００−３ｃの順序で連結し、これらを印刷システム１０００でそれぞれ選択的に利用することができる。また、シート処理装置２００のそれぞれがシート排出部を備え、ユーザはシート処理がなされたシートを、それぞれのシート処理装置のシート排出部から取り出すことができる。
【００４４】
制御部２０５は、印刷装置１００に接続されたシート処理装置２００で実行可能な種類のシート処理の候補から、ユーザが所望する種類のシート処理の実行要求を、操作部２０４を介して印刷実行要求と共に受け付ける。そして操作部２０４を介して処理対象となるジョブの印刷実行要求をユーザから受け付けたことに応じて、制御部２０５は、そのジョブにて要する印刷処理をプリンタ２０３で実行させる。そして制御部２０５は、この印刷処理がなされたジョブのシートを、ユーザが所望するシート処理を実行可能なシート処理装置までシート搬送路を介して搬送させ、そのシート処理装置でシート処理を実行させる。
【００４５】
例えば、印刷システム１０００が図３に示すシステム構成である場合、ユーザから印刷
実行要求を受け付けた処理対象のジョブが、大容量スタッカ２００−３ａによる大量積載処理を行うように指示されたジョブであるとする。このジョブを「スタッカジョブ」と呼ぶ。このスタッカジョブを、図３の印刷システム１０００で処理する場合、制御部２０５は、印刷装置１００で印刷されたこのジョブのシートを、図３のＡ点を経由して大容量スタッカ２００−３ａの内部へ搬送させる。その後、制御部２０５は、このジョブの積載処理を大容量スタッカ２００−３ａで実行させる。そして制御部２０５は、大容量スタッカ２００−３ａで積載処理がなされたジョブの印刷物を、他の装置（例えば後段の装置）へ搬送せずに、大容量スタッカ２００−３ａ内部の排紙先Ｘに保持させる。
【００４６】
この図３の排紙先Ｘに保持された印刷物は、排紙先Ｘからユーザが直接取り出すことができる。これにより図３のシート搬送方向、最下流の排紙先（Ｚ−１、Ｚ−２、Ｚ−３の何れか）までシートを搬送して、その排紙先（Ｚ−１、Ｚ−２、Ｚ−３の何れか）から印刷物を取り出すといった作業が不要となる。
【００４７】
また図３において、ユーザから印刷実行要求を受け付けた処理対象のジョブが、糊付け製本機２００−３ｂによるシート処理（例えば、くるみ製本処理、或いは天糊製本処理の何れかの糊付け製本処理）を行うように指示されたジョブであるとする。このジョブを「糊付け製本ジョブ」と呼ぶ。この糊付け製本ジョブを、図３の印刷システム１０００で処理する場合、制御部２０５は、印刷装置１００で印刷されたシートを、図３のＡ点及びＢ点を経由して糊付け製本機２００−３ｂの内部へ搬送させる。その後、制御部２０５は、このジョブの糊付け製本処理を、糊付け製本機２００−３ｂで実行させる。そして制御部２０５は、糊付け製本機２００−３ｂで糊付け製本処理がなされた印刷物を、他の装置（例えば、後段の装置）へ搬送させずに、そのまま糊付け製本機２００−３ｂの内部の排紙先Ｙに保持させる。なお、くるみ製本処理を行うにあたり、予め印刷した表紙を利用することもできる。この場合、この表紙となるシートをトレイＹｏにセットする。
【００４８】
また、図３のシステム構成で、ユーザから印刷実行要求を受け付けた処理対象のジョブが、中綴じ製本機２００−３ｃによるシート処理を行うように指示されたジョブであるとする。この中綴じ製本機２００−３ｃによるシート処理には、例えば、中綴じ製本処理、パンチ処理、断裁処理、シフト排紙処理、折り処理等がある。ここでは、このジョブを「中綴じ製本ジョブ」と呼ぶ。
【００４９】
この中綴じ製本ジョブを、図３の印刷システム１０００で処理する場合、制御部２０５は、印刷装置１００で印刷されたシートを、Ａ点及びＢ点及びＣ点を経由して中綴じ製本機２００−３ｃに搬送させる。その後、制御部２０５は、このジョブのシート処理を中綴じ製本機２００−３ｃで実行させる。そして制御部２０５は、この中綴じ製本機２００−３ｃによるシート処理がなされた中綴じ製本ジョブの印刷物を、中綴じ製本機２００−３ｃの排紙先に保持させる。なお、この中綴じ製品機２００−３Ｃは、予め印刷されたシートを供給するためのインサータトレイＺｏを持つ。例えば、予め印刷が施されたカバーシートなどがこのインサータトレイＺｏにセットされる。このインサータトレイＺｏから供給されるシートは、印刷装置１００からのシートとマージされる。そして、これらのシートを１束とする後処理がこの中綴じ製本機２００−３ｃにより行われる。
【００５０】
この中綴じ製本機２００−３ｃには、複数の排紙先（Ｚ−１、Ｚ−２、Ｚ−３）がある。これらは、中綴じ製本機２００−３ｃにより実行可能な複数種類のシート処理毎に排紙先を区別するのに利用される。例えば、Ｚ−３は、この装置で中綴じ製本処理が行われた印刷物の排紙先（ブックレットホールド部）である。Ｚ−２は、この装置でステイプル処理、パンチ処理、折り処理の何れかが行われた印刷物の排紙先（スタックトレイ）である。Ｚ−１は、このようなシート処理を行わずにそのまま印刷物を排出する際に利用される排紙先（サンプルトレイ）である。
【００５１】
なお、大容量スタッカ２００−３ａは、外部の排出先としてエスケープトレイＸｏを持つ。このエスケープトレイＸｏは、最終成果物としては採用しないシートが上流の装置から搬送されてきた場合に、そのシートを排出するのに利用される。例えば、搬送中のシートが詰まる（以下、用紙ジャムと記す）等の印刷中断要因が発生した時点で既に給紙が始ってしまっているシート（機内に存在する滞留シート）や、重送したシートを、このエスケープトレイＸｏに排出することができる。これにより、このようなシートを下流の装置へ流すことなく、機外へと排出できる。
【００５２】
以上説明したように、本実施の形態に係る印刷システム１０００は、印刷装置１００に対して、複数台のシート処理装置を接続することができる。そして、これら複数台のシート処理装置は、任意の組み合せで、印刷装置１００に接続できる。また、これら複数台のシート処理装置の接続順序も、装置同士のシート搬送路がつながる範囲内において自由に変更することができる。また印刷装置１００に接続可能なシート処理装置の候補も複数種類存在する。
【００５３】
＜操作部の外観＞
図４は、本実施の形態に係る印刷装置１００の操作部２０４の外観図である。
【００５４】
この操作部２０４は、タッチパネル部４０１と、キー入力部４０２とを備える。タッチパネル部４０１は、液晶表示部とその上に貼られた透明電極とを具備し、ユーザから指示を受け付けるための各種設定画面を表示する。このタッチパネル部４０１は、各種画面を表示する機能と、ユーザからの指示を受け付ける指示入力機能を兼ね備える。キー入力部４０２は、電源キー５０１、スタートキー５０３、ストップキー５０２、ガイドキー５０４や、ユーザモードキー５０５、テンキー５０６を備える。スタートキー５０３は、コピージョブや、送信ジョブの実行を印刷装置１００に開始させる場合に用いられる。テンキー５０６は、印刷部数等の数値入力の設定を行う場合に用いられる。
【００５５】
制御部２０５は、このタッチパネル部４０１に表示される各種画面を介して受け付けたユーザ指示やキー入力部４０２を介して受け付けたユーザ指示に基づいた各種処理を行うように印刷システム１０００を制御する。
【００５６】
タッチパネル部４０１は、コピー、送信、ボックス、拡張などの各種動作をモード設定するモードボタンや、印刷倍率設定、シート設定などを行うための各種指示ボタンを表示している。これら各種指示ボタンは周知であるため、それらの説明を省略し、シート処理設定ボタン６０９が指示（タッチ）された場合について説明する。
【００５７】
＜設定画面＞
次に、印刷装置１００の操作部２０４のタッチパネル部４０１に表示される設定画面例について説明する。
【００５８】
図５は、図４に示すシート処理設定ボタン６０９が指示された時にタッチパネル部４０１に表示される画面例を示す表示画面図である。
【００５９】
ユーザはこの画面を使用して、この印刷システム１０００に含まれるシート処理装置２００を用いて実行可能なシート処理の種類を選択できる。
【００６０】
５１１はステイプル処理を指示するボタン、５１２はパンチを行うように指示するボタン、５１３は裁断処理を指示するボタンである。５１４はシフト排紙、５１５は中綴じ製本、５１６は折りを指示するボタンである。５１７は糊付け製本（くるみ製本）を指示す
るボタン、５１８は糊付け製本（天糊製本）を指示するボタンである。キャンセルボタン５２０は、これら設定を全てキャンセルするためのボタン、ＯＫボタン５２１は、これら設定を有効にするボタンである。
【００６１】
図６は、給紙部に収納されるシートのマテリアルを設定するための画面を示す表示画面図である。
【００６２】
ユーザは、給紙部にシートを収納した後に、該画面で該シートのマテリアルを設定することができる。給紙部に収納されるシートのマテリアルを設定する画面１７００では、図６に示すように、ユーザが設定可能なマテリアルの種類を表示する。そして、タブ紙が選択された場合には「インデックスの数」ボタン１７０１が表示され、タブ紙以外のマテリアルが選択された場合には「インデックスの数」ボタン１７０１が非表示になるように制御する。
【００６３】
「インデックスの数」ボタン１７０１が押下された時の画面については、図７を用いて後述する。また、該画面１７００は、キャンセルボタン１７０２、戻るボタン１７０３、及び、ＯＫボタン１７０４から構成される。キャンセルボタン１７０２が押下されると、給紙部に収納されるシートの登録を中止するよう制御する。戻るボタン１７０３が押下されると、給紙部に収納されるシートのマテリアル設定を中止し、給紙部に収納されるシートの登録における前のステップに戻るよう制御する。例えば、給紙部に収納されるシートのサイズを設定する画面に戻る。ＯＫボタン１７０４が押下されると、設定された内容を登録する。
【００６４】
図７は、給紙部に収納されるタブ紙の分割数を設定するための画面を示す表示画面図である。
【００６５】
ユーザは、該画面でタブ紙の分割数を設定することができる。給紙部に収納されるタブ紙の分割数を設定する画面１８００は、図７に示すように、「−／＋」ボタン１８０１と「閉じる」ボタン１８０２から構成される。「−／＋」ボタン１８０１の「−」が押下されると画面内に表示される分割数を減少し、「＋」が押下されると画面内に表示される分割数を増加する。「閉じる」ボタン１８０２が押下されると、画面内に表示されている分割数を登録する。
【００６６】
図８は、「残存シートの除去動作」機能を設定するための選択画面を示す表示図面図である。
【００６７】
この選択画面は、印刷を開始するに先立って残存シートの除去動作を行うか否かの設定をユーザにより行うことができるように構成されている。「残存シートの除去動作」機能とは、次のようなものである。即ち、例えば印刷が中断した場合にタブ紙が給紙部に残存しているとタブ紙の順番がずれることになる。これを回避するために給紙部から自動的にシートを除去するシート除去動作を実行する機能である。給紙部は、予め決められた枚数に対応する複数のタブ紙で構成される１セットのシートを１枚ずつ転写ドラム３０５側へ給紙可能（供給可能）である。残存シートは、前記１セットのシートに含まれるシートであって前記転写ドラム３０５側へ未供給のシートとして給紙部に残存する強制排出対象のタブ紙である。
【００６８】
「残存シートの除去動作」機能を設定する画面１９００は、図８に示すように、ＯＮボタン１９０１、ＯＦＦボタン１９０２、キャンセルボタン１９０３、及び、ＯＫボタン１９０４から構成される。ＯＮボタン１９０１が押下されると「残存シートの除去動作」機能を有効にし、逆にＯＦＦボタン１９０２が押下されると「残存シートの除去動作」機能を無効にする。キャンセルボタン１９０３が押下されると、該画面１９００のＯＮボタン１９０１又はＯＦＦボタン１９０２で設定された内容の登録を中止し、ＯＫボタン１９０４が押下されると、ＯＮボタン１９０１又はＯＦＦボタン１９０２で設定された内容を登録する。
【００６９】
図９は、タブ紙を利用する印刷ジョブ（以下、タブ紙ジョブと記す）の再開画面を示す表示画面図である。該画面は、タブ紙ジョブにおいてジャムが発生した後、ジャムを解除した後に表示される画面の一例を示している。
【００７０】
タブ紙ジョブの再開画面２０００は、図９に示すように、「他のファンクションへ」ボタン２００１、中止ボタン２００２、及びプリント再開ボタン２００３から構成される。「他のファンクションへ」ボタン２００１が押下されると、実行中の該タブ紙ジョブの制御はそのままにした状態で、送信機能又はボックス機能等の別の動作モードの制御画面へ遷移する。中止ボタン２００２が押下されると、実行中の該タブ紙ジョブの制御を中止する。
【００７１】
プリント再開ボタン２００３が押下されると、実行中の該タブ紙ジョブの印刷制御又は残存シートの除去動作を再開させる。ジャムが解除された後、自動的に該タブ紙ジョブの印刷制御又は残存シートの除去動作を再開してしまうと、給紙部に収納されているタブ紙の先頭のタブが適切にセットされていないケースがある。そのため、プリント再開ボタン２００３が押下された後に該タブ紙ジョブの印刷制御又は残存シートの除去動作を再開することで、不適切な出力物が生成されないようにしている。
【００７２】
＜残存シートの除去動作の機能＞
次に、残存シートの除去動作の機能について詳細に説明する。
【００７３】
図１０は、残存シートの除去動作の機能の概要を示す模式図である。
【００７４】
図１０において、タブ紙６０１は、タブ紙ジョブが用いるタブ紙の一例を示している。このように、通常、タブ紙は、タブが任意の分割数に分割されているシートの複数枚を１組となっている。タブ紙６０１は、５分割のタブ紙が３組セットされている様子を示している。原稿６０２は、タブ紙ジョブで用いる原稿束の一例を示している。
【００７５】
また、原稿６０２の画像を印字するシートは、前述のタブ紙６０１がセットされた給紙部以外の収納場所にセットされているものとする。例えば、図３のシステム構成において、タブ紙６０１は給紙カセット３１７にセットされ、原稿６０２の画像を印字するシートは給紙デッキ３１９にセットされている。
【００７６】
出力物６０３、６０５、及びタブ紙６０１ａ、６０１ｂは、原稿６０２の１ページ目及び３ページ目にタブ紙６０１を挿入し、これらをソート２部出力した結果を示している。出力物６０３は１部目の出力結果を示しており、この出力物の排出先の一例として、制御部２０５は前述の中綴じ製本機２００−３ｃのスタックトレイＺ−２に排出するように制御する。タブ紙６０１ａは、出力物６０３の後に出力される不要なタブ紙を示しており、この出力物の排出先の一例として、制御部２０５は大容量スタッカ２００−３ａのエスケープトレイＸｏに自動排出するよう制御する。同様に、出力物６０５は２部目の出力結果を示している。タブ紙６０１ｂは出力物６０５の後に出力される不要なタブ紙を示している。
【００７７】
図１０で示すタブ紙ジョブは、出力物６０３及び６０５が示すように、１部あたり２枚のタブ紙を使う。給紙カセット３１７に収納されるタブ紙６０１は５分割であり、２部目の出力物を１タブ目のインデックス紙を使うためには、３〜５分割目のタブ紙が不必要となる。そこで、制御部２０５は各部の出力が完了する度に、不必要となる３〜５分割目のタブ紙６０１ａ及び６０１ｂを自動的に排出するように排出動作を制御する。
【００７８】
前述した残存シートの除去動作の機能を実現することで、ユーザは購入したタブ紙から不必要となるシートを予め取り除く作業を省略することができるという効果を得る。また、例えば、本来ユーザが必要とする出力物６０３及び６０５の排出先と、ユーザにとって不必要となるタブ紙６０１ａ及び６０１ｂの排出先とを分けることで、出力物の取り出しを簡略化することができる。
【００７９】
次に、図１１のフローチャートを用いて残存シートの除去動作の制御の流れを説明する。
【００８０】
図１１は、印刷装置１００における残存シートの除去動作の制御の流れを示すフローチャートである。この処理を実行するプログラムはＲＯＭ２０７に記憶されており、制御部２０５のＣＰＵ２０５ａの制御の下に実行される。
【００８１】
ＣＰＵ２０５ａは、ユーザからタブ紙ジョブの印刷実行要求を受け付けた後、該タブ紙ジョブ１部あたりの印刷制御を行う（Ｓ７０１）。その後、「残存シートの除去動作」の機能が有効になっているかを判断し（Ｓ７０２）、有効になっている場合、引き続き残存シートの除去動作制御を行う。
【００８２】
残存シートの除去動作制御では、ＣＰＵ２０５ａは、まず強制排出すべき残存シートの枚数計算が完了しているかを判断する（Ｓ７０３）。該枚数計算が完了していない場合、該タブ紙ジョブ１部あたりで利用するタブ紙の枚数を計算する。ここでは、タブ紙ジョブ１部あたりで利用するタブ紙の枚数をｉ（ｉは自然数）とする。
【００８３】
次に、残存シートを強制排出する枚数を計算する（Ｓ７０５）。ここで、給紙部に収納されているタブ紙の分割数をＩ（Ｉは自然数）とし、Ｉをｉで除算した余りをｍｏｄ（ｉ／Ｉ）とすると、残存シートを強制排出する枚数Ｍは次の数式で計算できる。
【００８４】
Ｍ＝ｍｏｄ（（Ｉ−ｍｏｄ（ｉ／Ｉ））／Ｉ）
この計算式によって該枚数計算が完了した場合、又は、Ｓ７０３において該枚数計算が完了していると判断する場合には、ＣＰＵ２０５ａは、該枚数計算で求めた強制排出する残存シートの枚数が１枚以上であるか判断する（Ｓ７０６）。強制排出する残存シートの枚数が１枚以上でない場合は、残存シートを強制排出する必要がないと判断し、次の部の印刷制御を引き続き行う。強制排出する残存シートの枚数が１枚以上である場合は、計算した枚数分だけ残存シートを自動的に排出する（Ｓ７０７）。
【００８５】
その後、全部数分の印刷制御が完了しているか判断し（Ｓ７０８）、全部数分の印刷制御が完了するまで前述の制御を繰り返し行う。
【００８６】
＜本実施の形態に係る処理の概要＞
次に、本実施の形態に係る印刷中断制御の概要について説明する。
【００８７】
（Ａ）印刷中断ケース１
図１２は、図３で示すシステム構成においてタブ紙ジョブの処理中に用紙ジャムが発生して処理が中断する印刷中断ケースの一例を示す模式図である。
【００８８】
この図１２の例において、７１１は、排出先が中綴じ製本機２００−３ｃのスタックトレイＺ−２に指定されたタブ紙ジョブのシート出力束であり、７１２は排出先が大容量スタッカのエスケープトレイに指定された強制排出対象のタブ紙（残存シート）である。また、７１３は、排出先が中綴じ製本機のスタックトレイに指定されたタブ紙ジョブの２部目のシートである。
【００８９】
このような一連のシート出力束を排紙するためのタブ紙ジョブの先頭の３シートは、指定された排紙先に正しく排紙完了となり（Ｔ１１）、続く４シート目は中綴じ製本機２００−３ｃでジャムが発生している（Ｔ１２）。この時、同時期に搬送されている５シート目及び６シート目は、先行する４シート目でジャム発生したことにより、中綴じ製本機２００−３ｃ又は糊付け製本機２００−３ｂ内で滞留ジャムを引き起こしている（Ｔ１３）。しかし、後続の強制排出対象のタブ紙（残存シート）は、指定の大容量スタッカ２００−３ａのエスケープトレイＸｏに排紙することができる（Ｔ１４）。また、２部目のタブ紙ジョブのシートは、指定されている排紙先（中綴じ製本機２００−３ｃのスタックトレイＺ−２）に排紙することができないため、印刷装置内で滞留ジャムを起こすことになる（Ｔ１５）。このようにして、該タブ紙ジョブを中断する。
【００９０】
図１３は、図１２で示した印刷中断後のジョブ再開制御を示す模式図である。
【００９１】
この図１３の例では、図１２で示した印刷中断状況からジャムが解除された後、１部目の正常に排紙完了していないシート出力束の再印刷制御を行い（Ｔ１６）、続いて、正常に排紙された強制排出対象の残存シートの再排出制御を行う（Ｔ１７）。次に２部目の排紙完了となっていないシート出力束に対して再度印刷制御を行う（Ｔ１８）。
【００９２】
このように、強制排出の対象でない先行のシート出力束にタブ紙が含まれる場合、強制排出対象のタブ紙は、排紙完了となっても再度排出制御を行う。このような制御を行うことで、タブ紙の順序が狂うことなく、正しい出力物をユーザに提供することができる。即ち、図１２で示した印刷中断状況からジャムが解除された後、正常に排紙完了していないシートに対してのみ再印刷制御を行うようにした場合、図１２の例では、次のようになる。即ち、強制排出対象の残存シートは既に正常に排紙されているため、ジャム解除後に再度排出制御が行われないことになる。その結果、２部目のタブ紙ジョブで順序不正確なタブ紙を出力してしまう。つまり、排紙完了となった強制排出対象のタブ紙を再排出しないと、次の部で用いるタブ紙の順序が正確でなくなる。
【００９３】
（Ｂ）印刷中断ケース２
図１４は、図３で示すシステム構成においてタブ紙ジョブ以外の印刷ジョブの処理中に用紙ジャムが発生して処理が中断する印刷中断ケース２の一例を示す模式図である。
【００９４】
図１４の例で示すジョブは、先頭の４ページのシート出力束７２１の排紙先が中綴じ製本機２００−３ｃのスタッカトレイＺ−２に指定される。そして、次の２ページのシート出力束７２２の排紙先が大容量スタッカ２００−３ａのエスケープトレイＸｏに指定されているものとする。さらに、該ジョブは前述のシート出力束を複数部出力するものとする。
【００９５】
図１４の例では、排紙先が中綴じ製本機２００−３ｃのスタッカトレイＺ−２に指定された先頭１シート目から３シート目は正常に排紙完了となり（Ｔ２１）、続く４シート目は中綴じ製本機２００−３ｃでジャムが発生している（Ｔ２２）。この時、同時期に搬送されている５シート目及び６シート目は、指定された大容量スタッカ２００−３ａに正常に排紙することができる（Ｔ２３）。また、２部目のシート７２３は、指定されている排紙先（中綴じ製本機２００−３ｃのスタックトレイＺ−２）に排紙することができないため、印刷装置１００内で滞留ジャムを起こすことになる（Ｔ２４）。このようにして、該ジョブを中断する。
【００９６】
図１５は、図１４で示した印刷中断後のジョブ再開制御を示す模式図である。
【００９７】
図１４で示した印刷中断ケースでは、排紙完了となっていないシートに対してのみ再度印刷制御を行うだけで良い。これに対して、排紙完了となったシートに対しても再印刷制御を行うと出力物が重複するだけでなく、余計な制御を行うことによって高い生産性を維持することができなくなる。
【００９８】
換言すると、制御部２０５はジャムが発生した場合に、正常に排紙できたシートが強制排出対象の残存シートであれば、ジャム解除後に再印刷又は再排出を行うように制御する。さらに、ジャムが発生した場合に、正常に排紙できたシートが強制排出対象の残存シートでなければ、ジャム解除後に再印刷又は再排出を行わないよう制御する。この制御を実施することによって、不適切な出力結果を抑制するとともに、高い生産性を維持することが可能となる。
【００９９】
（Ｂ）印刷中断ケース３
図１６は、図３で示すシステム構成においてタブ紙ジョブの印刷制御又は残存シートの除去動作を行う際に用紙ジャムが発生して処理が中断する印刷中断ケース３の一例を示す模式図である。
【０１００】
この図１６の例において、７３１は、排出先が中綴じ製本機２００−３ｃのスタックトレイＺ−２に指定されたタブ紙ジョブのシート出力束であり、７３２は排出先が大容量スタッカ２００−３ａのエスケープトレイに指定された強制排出対象のタブ紙（残存シート）である。また、７３３は、排出先が中綴じ製本機２０００−３ｃのスタックトレイＸｏに指定されたタブ紙ジョブの２部目のシートである。
【０１０１】
図１６の例では、タブ紙ジョブの先頭４シートは指定された排紙先に正しく排紙完了となり（Ｔ３１）、続く５シート目は中綴じ製本機２００−３ｃでジャムが発生している（Ｔ３２）。この時、同時期に搬送されている６シート目は、先行する５シート目でジャム発生したことにより、中綴じ製本機２００−３ｃ又は糊付け製本機２００−３ｂ内で滞留ジャムを引き起こしている（Ｔ３３）。しかし、後続の強制排出対象のタブ紙（残存シート）は、指定の大容量スタッカ２００−３ａのエスケープトレイＸｏに排紙することができる（Ｔ３４）。また、２部目のタブ紙ジョブのシート出力束は、指定されている排紙先（中綴じ製本機２００−３ｃのスタックトレイＺ−２）に排紙することができないため、印刷装置１００内で滞留ジャムを起こすことになる（Ｔ３５）。このようにして、該タブ紙ジョブを中断する。
【０１０２】
このような図１６の例を図１２と比較すると、強制排出対象の残存シートよりも先行シートのうち、排紙完了できなかったシートが全てタブ紙ではない点が、本印刷中断ケース３の特徴である。
【０１０３】
図１７は、図１６で示した印刷中断後のジョブ再開制御を示す模式図である。
【０１０４】
図１７の例では、図１６で示した印刷中断状況からジャムが解除された後、正常に排紙完了していないシート出力束の再印刷制御のみを行う例を示している（Ｔ３６、Ｔ３７）。前述では、ジャムが発生した場合に、正常に排紙できたシートが強制排出対象の残存シートであれば、ジャム解除後に再印刷又は再排出を行うよう制御していた。しかしながら、排紙完了になっている先行のシート出力束にタブ紙が含まれていなければ、正常に排紙できた強制排出対象の残存シートのシート出力束をジャム解除後に再印刷又は再排出しないように制御することも、本実施形態に含まれる。このように制御を行うことで、さらに高い生産性を維持することが可能となる。
【０１０５】
また、例えば、タブ紙ジョブでジャムが発生した場合、ジャム解除にタブ紙の順序が合うように、不必要なタブ紙をジャム解除直後に強制排出するよう制御することも、本実施形態に含まれる。このように制御を行うことで、余計なユーザ操作を介在することなく、適切な出力結果を常にユーザに提供することが可能になる。
【０１０６】
＜本実施の形態に係る処理のフロー＞
次に、本実施の形態に係る印刷装置１００の処理フローについて、図１８及び図１９を参照して説明する。
【０１０７】
（Ａ）印刷中断時の処理
図１８は、本実施の形態に係る印刷装置１００における印刷中断時の処理を示すフローチャートである。なお、この処理を実行するプログラムはＲＯＭ２０７に記憶されており、制御部２０５のＣＰＵ２０５ａの制御の下に実行される。
【０１０８】
ＣＰＵ２０５ａは、用紙ジャム等の印刷中断要因が発生したか否かを監視し（Ｓ１１）、用紙ジャムが発生した場合には、印刷処理を中断する（Ｓ１２）。そして、ＣＰＵ２０５ａは、印刷が中断したジョブが、順序性をもったシート、つまりタブ紙を利用するジョブ（タブ紙ジョブ）かを判断する（Ｓ１３）。印刷が中断したジョブが、タブ紙ジョブである場合には、ＣＰＵ２０５ａは、例えばシート搬送路に設けられたフォトセンサ等の検出部材の検出信号を受けて用紙ジャムの発生個所を特定する（Ｓ１４）。
【０１０９】
ＣＰＵ２０５ａは、中断の要因としての用紙ジャムが予め決められた排出先よりもシート搬送方向下流側のシート搬送路にて発生した場合には、残存シートの除去動作（シートの除去動作）が可能と判断する。また、上流側のシート搬送路にて発生した場合には（Ｓ１５）、残存シートの除去動作が不可能と判断する。
【０１１０】
そして、残存シートの除去動作が不可能であれば、印刷再開時に残存シートの除去動作が必要なジョブとして情報をＲＡＭ２０８に保持する。一方、残存シートの除去動作が可能であれば、残存シートの除去動作制御を実行し、排出すべき残存シートを図３の給紙カセット３１７から全て除去する（Ｓ１７）。そして、印刷再開時に、残存シートの除去動作が不要なジョブであるとする識別情報を印刷が中断したジョブに関連付けてＲＡＭ２０８に保持する（Ｓ１９）。また、前記Ｓ１３の判断において、印刷が中断したジョブがタブ紙ジョブでない場合にも、印刷再開時に残存シートの除去動作が不要なジョブであるとする識別情報を印刷が中断したジョブに関連付けてＲＡＭ２０８に保持する（Ｓ１９）。
【０１１１】
このように、ＣＰＵ２０５ａは、印刷の中断要因が解除された印刷再開時で前記識別情報を参照することができるように前記識別情報をＲＡＭ２０８に保持しておくのである。
【０１１２】
（Ｂ）印刷再開時の処理
図１９は、本実施の形態に係る印刷装置１００における印刷再開時の処理を示すフローチャートである。
【０１１３】
中断ジョブの印刷の再開については、印刷が中断した後にユーザインタフェース（図９のプリント再開ボタン２００３）を介してユーザから実行指示を受け付けたことを条件に実行するように制御される。
【０１１４】
ＣＰＵ２０５ａは、ユーザからプリント再開ボタン２００３の押下によって印刷再開の実行指示を受け付けると、印刷が中断したジョブについて用紙ジャム等の印刷中断要因が解除したか否かを監視する（Ｓ２１）。そして、用紙ジャムが解除した場合には、印刷中断時にＲＡＭ２０８に保持した前記識別情報を参照する（Ｓ２２）。そして、ＣＰＵ２０５ａは、この識別情報から、当該中断ジョブが残存シートの除去動作を必要とするジョブであるか否かを判断する（Ｓ２３）。
【０１１５】
そして、当該中断ジョブが残存シートの除去動作を必要とするジョブであれば、ＣＰＵ２０５ａは、除去すべき残存シートを図３の給紙カセット３１７から全て排出するまで除去動作を実行する（Ｓ２４、Ｓ２５）。この制御は、印刷が中断した後にユーザインタフェースを介してユーザから実行指示を受け付けなくても実行されるものである。
【０１１６】
そして、給紙カセット３１７から残存シートを全て除去し終えたら、印刷を再開する（Ｓ２６）。即ち、印刷が中断した時点で、残存シートの除去動作が済んでいない場合に、印刷を再開する時点で残存シートの除去動作を実行するよう制御する。つまり、Ｓ１６で済ませていないならばＳ１８へ進み、Ｓ２３でＹＥＳとなりＳ２４へ進む。
【０１１７】
一方、前記識別情報から、当該中断ジョブが残存シートの除去動作を不要とするジョブであることが判明すれば、ＣＰＵ２０５ａは、前記Ｓ２４とＳ２５の処理をスキップして、Ｓ２６へ進んで印刷を再開する。
【０１１８】
即ち、ＣＰＵ２０５ａは、印刷が中断したジョブが、順序性をもたないシートを利用し且つ順序性をもったシート（タブ紙）を利用しないジョブである場合には、次のようにする。即ち、印刷を再開する時点で、当該ジョブで利用していた給紙カセットから順序性を持たないシートを除去しないように、残存シートの除去動作を行うこと無しに当該中断ジョブの印刷を再開するように制御する。つまり、Ｓ１３→Ｓ１９→Ｓ２３から直接Ｓ２６へ進む。また、印刷が中断したジョブがタブ紙を利用するジョブであっても、印刷が中断した時点で残存シートの除去動作が済んでいる場合には、印刷を再開する時点で残存シートの除去動作を行うこと無しに当該中断ジョブの印刷を再開するよう制御する。つまり、Ｓ１７からＳ１９へ進んでＳ２３でＮＯとなるので、Ｓ２４には進まずに直接Ｓ２６へ進む。
【０１１９】
なお、前記順序性をもったシートとは、タブ部を有するシートか、予め頁番号か付与されているシートの少なくとも何れかである。
【０１２０】
＜本実施の形態に係る利点＞
本実施の形態によれば、次のような利点を有する。
【０１２１】
（１）印刷が中断したジョブがタブ紙（順序性をもったシート）を利用するジョブである場合には、給紙カセットに残存するタブ紙の除去動作を行うようにした。これにより、印刷が中断したジョブがタブ紙を利用するジョブであっても、その後、ユーザの意図しない順序性が失われたタブ紙が給紙カセットから供給されないようにする仕組みを提供することができる。
【０１２２】
（２）タブ紙を利用するジョブの印刷が中断した場合に、当該ジョブで利用していた給紙カセットから残存するタブ紙を除去するようにタブ紙の除去動作を行うようにする。そして、印刷が中断した時点で、この除去動作が済んでいない場合には、当該ジョブの印刷を再開する時点で、タブ紙の除去動作を行う。一方、印刷が中断した時点でタブ紙の除去動作が済んでいる場合には、該ジョブの印刷を再開する時点でタブ紙の除去動作を実行すること無しに当該ジョブの印刷を再開するように制御する。これにより、無駄のない動作でもって、速やかに印刷を再開することができる。
【０１２３】
（３）本実施の形態の印刷システム１００は、印刷で順序性をもったシート（タブ紙など）を少なくとも利用する第１のジョブと、印刷で順序性をもたないシートを利用し且つ前記順序性をもったシートを利用しない第２のジョブとを受け付ける。印刷が中断したジョブが前記第１のジョブである場合に、当該第１のジョブで利用していた給紙カセットから前記順序性をもったシートを除去するようにシートの除去動作を実行した後に当該第１のジョブの印刷を再開するよう制御する。また、印刷が中断した印刷ジョブが前記第２のジョブである場合に、当該第２のジョブで利用していた給紙カセットから前記順序性をもたないシートを除去しないように、前記シートの除去動作を実行すること無しに当該第２のジョブの印刷を再開するよう制御する。これにより、印刷が中断したジョブが順序性をもったシートを利用するジョブであるケースと、順序性をもたないシートを利用するジョブであるケースとで、それぞれに見合った無駄のない速やかな印刷再開を実現することができる。
【０１２４】
＜本実施の形態に係る処理の変形例＞
本発明の処理は、図１８及び図１９で説明した上記実施の形態に係る処理に限定されず、種々の変形が可能である。その変形例としては例えば次のようなものがある。
【０１２５】
図２０及び図２１は、上記実施の形態の印刷装置１００における処理の変形例を示すフローチャートである。この処理を実行するプログラムはＲＯＭ２０７に記憶されており、制御部２０５のＣＰＵ２０５ａの制御の下に実行される。
【０１２６】
図２０は、各シートの給排紙制御の手順を示すフローチャートである。
【０１２７】
ユーザから印刷実行要求を受け付けた後、前述したペーパハンドリング制御に従ってシート１枚毎に給紙制御を行う（Ｓ３１）。給紙した該シートを指定の排出先に搬送している間、ジャムが発生せず正常に搬送できる場合、そのまま指定の排紙先に該制御対象のシートを排紙して（Ｓ３４）、該シートの給排紙制御を終了する。
【０１２８】
一方、給紙した該シートを指定の排紙先に搬送している間、先行する別シートでジャムが発生した場合（Ｓ３２）、該シートが指定の排出先に排紙できるかを判断する（Ｓ３３）。排紙できる場合は、そのまま指定の排紙先に該シートを排紙する（Ｓ３４）。例えば、図３のシステム構成において、排紙先が大容量スタッカ２００−３ａのエスケープトレイＸｏに指定されているシートの制御を行っている場合には次のようにする。即ち、先行するシートが大容量スタッカ２００−３ａのエスケープトレイＸｏまでの搬送パスに滞留していなければ、ジャムが発生したとしても該シートは指定の排紙先への排紙制御を継続するよう制御する。
【０１２９】
次に該シートが強制排出対象の残存シートであるかどうかを判断する（Ｓ３５）。残存シートでなければ、そのまま該シートの給排紙制御を終了する。Ｓ３５で残存シートと判断できれば、該シートをジョブ再開時に再給排紙制御するシートして登録する（Ｓ３６）。また、Ｓ３３で指定の排紙先に排紙できないと判断した場合も、該シートをジョブ再開時に再給排紙制御するシートして登録し（Ｓ３６）、該シートの給排紙制御を終了する。
【０１３０】
図２１は、ジャム解除後の各シートの給排紙制御の手順を示すフローチャートである。
【０１３１】
各シートの給排紙制御を行っている途中でジャムが発生した場合、ジャム解除後は図２１のフローチャートが示す手順で制御を行う。
【０１３２】
ジャムが解除されると、ペーパハンドリング制御に従って再びシート１枚毎に給紙制御を行う。ジャムが解除されて、ユーザからジョブの再開指示を受け付けると（Ｓ４１）、制御対象の該シートが、前述のＳ３６で再給排制御するシートとして登録されているか判断する（Ｓ４２）。登録されている場合は、該シートの給排紙制御を再度行い（Ｓ４３）、登録されていない場合は該シートの制御を終了する。
【０１３３】
なお、本実施形態として、印刷装置１００に具備される制御部２０５にかわって、情報処理装置として適用されるクライアントＰＣ１０４やサーバＰＣ１０３といった外部の装置の制御部（ＣＰＵ）が、前述した実施形態の各種の判断、制御を行う構成でも良い。また、このような複数の制御部が協働して上述の各種の実施形態の各種の判断、制御を行う構成でも良い。このように、上述の各種の判断や制御を、1つのＣＰＵで行う構成でも、複数のＣＰＵが協働して実現する構成でも良い。
【０１３４】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読取る処理である。
【０１３５】
この場合、記憶媒体から読取られたプログラムコード自体が前述した実施の形態の機能を実現することになり、そのプログラムコード及び該プログラムコードを記憶した記憶媒体は本発明を構成することになる。
【０１３６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。又は、プログラムコードをネットワークを介してダウンロードしても良い。
【０１３７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【０１３８】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部又は全部を行う場合である。
【０１３９】
このように本発明は本形態に限定されるものではなく、本発明の趣旨に基づき種々の変形（各実施形態の有機的な組合せを含む）が可能であり、それらを本発明の範囲から除外するものではない。
【０１４０】
以上、本発明の様々な例と実施形態について説明したが、当業者であれば、本発明の趣旨と範囲は、本明細書内の特定の説明に限定されるのものではないことは明らかである。
【図面の簡単な説明】
【０１４１】
【図１】実施の形態に係る印刷システムを含むＰＯＤシステムの構成を示す模式図である。
【図２】実施の形態に係る印刷システムの構成を説明するブロック図である。
【図３】実施の形態に係る印刷装置と、この印刷装置に接続されたシート処理装置の断面図である。
【図４】実施の形態に係る印刷装置の操作部の外観図である。
【図５】タッチパネル部に表示される画面例を示す表示画面図である。
【図６】シートのマテリアルを設定するための画面を示す表示画面図である。
【図７】タブ紙の分割数を設定するための画面を示す表示画面図である。
【図８】残存シートの除去動作機能を設定するための画面を示す表示図面図である。
【図９】タブ紙ジョブの再開画面を示す表示画面図である。
【図１０】残存シートの除去動作の機能の概要を示す模式図である。
【図１１】印刷装置における残存シートの除去動作の制御の流れを示すフローチャートである。
【図１２】印刷中断ケースの一例を示す模式図である。
【図１３】図１２で示した印刷中断後のジョブ再開制御を示す模式図である。
【図１４】印刷中断ケース２の一例を示す模式図である。
【図１５】図１４で示した印刷中断後のジョブ再開制御を示す模式図である。
【図１６】印刷中断ケース３の一例を示す模式図である。
【図１７】図１６で示した印刷中断後のジョブ再開制御を示す模式図である。
【図１８】実施の形態に係る印刷装置における印刷中断時の処理を示すフローチャートである。
【図１９】実施の形態に係る印刷装置における印刷再開時の処理を示すフローチャートである。
【図２０】実施の形態の変形例に係る処理を示すフローチャートである。
【図２１】実施の形態の変形例に係る処理を示すフローチャートである。
【符号の説明】
【０１４２】
１００  印刷装置
２００  シート処理装置
２０４  操作部
２０５  制御部
２０５ａ  ＣＰＵ
２０７  ＲＯＭ
２０８  ＲＡＭ
２０９  ＨＤＤ
３１７，３１８  給紙カセット
１０００  印刷システム
【図１】
0005294660.tif 000002
【図２】
0005294660.tif 000003
【図３】
0005294660.tif 000004
【図４】
0005294660.tif 000005
【図５】
0005294660.tif 000006
【図６】
0005294660.tif 000007
【図７】
0005294660.tif 000008
【図８】
0005294660.tif 000009
【図９】
0005294660.tif 000010
【図１０】
0005294660.tif 000011
【図１１】
0005294660.tif 000012
【図１２】
0005294660.tif 000013
【図１３】
0005294660.tif 000014
【図１４】
0005294660.tif 000015
【図１５】
0005294660.tif 000016
【図１６】
0005294660.tif 000017
【図１７】
0005294660.tif 000018
【図１８】
0005294660.tif 000019
【図１９】
0005294660.tif 000020
【図２０】
0005294660.tif 000021
【図２１】
0005294660.tif 000022